(57)【特許請求の範囲】
【請求項１】
インタネットに接続するための通信装置と、会員データベースと会員候補データベースを含む各種のデータを記録する記憶装置と、この運営システムを統括的に制御する管理サーバとを備え、
商品、サービスの便覧や取引の申し込みを行う仕組みを用意して電子サービスサイトを開設し、この電子サービスサイトに通信回線を介して複数の利用者端末を接続可能とする電子サービスサイトの運営システムであって、
前記管理サーバは、
会員利用者端末からのアクセス要求を受け付けると、会員番号とパスワードを含む会員認証画面を当該会員利用者端末に出力し、
前記会員利用者端末から前記会員認証画面による認証のアクセス要求を受け付けると、当該会員認証画面の入力内容が前記記憶装置に格納された前記会員データベースと一致するか否かを判定し、一致すれば、会員紹介を含むメニュー画面を前記会員利用者端末に出力し、
前記会員利用者端末から前記会員紹介のアクセス要求を受け付けると、会員候補の氏名とメールアドレスを含む会員紹介画面を前記会員利用者端末に出力し、
前記会員利用者端末から前記会員紹介画面による会員紹介のアクセス要求を受け付けると、当該会員紹介画面の入力内容に所定の推薦ＩＤ番号を付加して前記会員候補データベースに格納するとともに、所定のアドレスに会員紹介サイトを臨時的に開設し、
予め前記会員候補利用者端末の利用者に通知された前記会員紹介サイトの所定のアドレスと前記推薦ＩＤ番号に基づいて、
前記会員候補利用者端末からの前記会員紹介サイトへのアクセス要求を受け付けると、前記推薦ＩＤ番号または会員候補の氏名と会員候補のメールアドレスを含む会員登録画面を前記会員候補利用者端末に出力し、
前記会員候補利用者端末から前記会員登録画面による会員登録のアクセス要求を受け付けると、
当該会員登録画面の入力内容が前記記憶装置に格納された前記会員候補データベースと一致するか否かを判定し、一致すれば、会員番号を取得するとともに、パスワード設定画面を前記会員候補利用者端末に出力し、
前記会員候補利用者端末から前記パスワード設定画面によるパスワード登録要求を受け付けると、当該パスワードと会員番号を含む会員情報を前記会員データベースに格納する
ことを特徴とする電子サービスサイトの運営システム。
【請求項２】
請求項１記載の電子サービスサイトの運営システムにおいて、
前記管理サーバは、会員紹介サイトを開設すると、
前記会員候補データベースに格納された前記推薦ＩＤ番号と会員候補の氏名とメールアドレス及び開設した会員紹介サイトのアドレスを含む所定の定型文のメールを生成し、当該メールを会員候補のメールアドレスに送信する
ことを特徴とする電子サービスサイトの運営システム。
【発明の詳細な説明】
【０００１】
【発明の属する技術分野】
本発明は、公衆回線を使用して各種のサービスを提供する会員制の情報ネットワークシステムに関するものに係り、特に、インターネット等に開設されるサービスネットワークシステムの会員登録に対して、他の会員からの紹介を必要とする会員制システムを導入することにより、良好な信頼関係を構築可能な電子サービスサイトの運営システムに関するものである。
【０００２】
【従来の技術】
現在、公衆回線を利用して接続する利用者に対して各種の情報サービスを提供したり、あるいは各種の電子的な取り引きが可能なサイトを開設するプロバイダビジネスが脚光をあびている。これらのサイトは、誰でも自由に接続するものが一般的であるが、中にはプロバイダの会員となることで接続することが可能なものがある。これらの会員は、会員登録の際に、氏名や電話番号、あるいは料金の支払い口座など、身分を明らかにすることで、多様なサービスを受けることができる。つまり、この会員登録手続きは、所定の条件が整えば総て会員を希望する利用者のみの手続きで会員登録が行われる。
【０００３】
前記従来例は、例えば、特開平１０−３２０４５４号等に記載されている。
【０００４】
【発明が解決しようとする課題】
しかし、前記会員登録では、会員登録を認めるプロバイダは、会員がどのような人であるのかわからず、口座番号や電話番号などの最低限必要な所定の条件を持っていることでしか会員条件を判定するしかない。したがって、前記従来例では、会員からの紹介が必要な会員制クラブでは、通信回線を介しての会員登録が難しかった。
【０００５】
例えば、特定の知識に精通した大学の先生や研究者から構成される研究者集団と、これら研究者集団との共同研究の成果物を実施化しうる事業家集団とを通信回線を介して結びつける会員制のサイトでは、前記通信回線を利用して会員登録を自由に認めると、誰でも自由に会員登録ができるため、会員相互の信頼関係が失われる可能性を秘めている。そこで、会員からの紹介を会員資格とするシステムを導入しようとすると、申し込み書を作成して郵送するなどの手続きが複雑となる。
【０００６】
そこで、本発明は、前記課題を解決するためになされたものであり、その目的とするところは、通信回線を利用して会員を紹介して新規会員登録を可能とする電子サービスサイトの運営システムを提供することにある。
【０００７】
【課題を解決するための手段】
本発明に係る電子サービスサイトの運営システムは、前記目的を達成するために、商品、サービスの便覧や取引の申し込みを行う仕組みを用意して電子サービスサイトを開設し、この電子サービスサイトに通信回線を介して複数の利用者端末を接続可能とし、該電子サービスサイトで管理される正規会員からの新規会員紹介データを受け付け、該新規会員が利用者端末を介してアクセス可能な新規サイトを開設し、該新規サイトで前記新規会員登録を受け付け、これにより前記電子サービスサイトの正規会員とするようにする。これにより、新規会員を紹介するにあたり、この電子サービスサイトに通信回線を利用して接続する利用者端末を介して新規会員の紹介と正規の登録が関連性をもって行うことができる。
【０００８】
【発明の実施の形態】
以下、図１から図２８を参照して本発明に係る電子サービスサイトの運営システムの一実施の形態を説明する。なお、同一または同様な部位などは同一符号をもって示し重複した説明を省略する。
【０００９】
この実施の形態に示すネットワークシステムは、特定の知識に精通した研究者集団２００と、これら研究者集団２００との共同研究の成果物を実施化しうる事業家集団３００とを結びつけることにより、前記研究者集団２００にはよりよい研究環境を提供し、前記事業家集団３００にはこれら研究環境に基づく事業化を実現しやすくする研究者情報支援システム１である。
【００１０】
図１において、符号１で総括的に示すのは、前記研究者情報支援システム１であり、多くの研究者からなる前記研究者集団２００と、多くの事業家からなる前記事業家集団３００とをインターネット４００を介して接続する研究者情報支援会社１００とから構成される。
【００１１】
前記研究者集団２００は、大学の教授や研究所の研究者などの特定の知識に精通した人から構成されるものであり、インターネット４００を介して前記研究者情報支援会社１００に接続される情報処理装置２０１を介してこの研究者情報支援システム１に参加する。これら研究者集団２００は、会員資格として正規会員からの紹介を原則とし、前記情報処理装置２０１による会員紹介システムで会員登録される。例えば、図１に示すこの実施の形態では、Ａ大学のネットワーク４０１に参加するＡＡ教授と、このＡＡ教授に紹介されたＡＢ教授が前記Ａ大学ネットワーク４０１を介してインターネット４００に接続し、この研究者情報支援システム１に参加している。同様にＡ研究所に勤めるＡＡ研究者と、このＡＡ研究者に紹介されたＡＢ研究員は、このＡ研究所のネットワーク４０２を介して、この研究者情報支援システム１に参加している。この他、前記研究者集団２００を構成する会員は、特定の団体や会社のネットワークを介さず、個人的に接続プロバイダを介して本研究者情報支援システム１に参加することができる。
【００１２】
前記事業家集団３００は、前記インターネット４００を介して前記研究者情報支援会社１００に接続される情報処理装置３０１を介してこの研究者情報支援システム１に参加する。これら事業家集団３００は、特定業種１社を原則とする企業の集合体であり、これら各企業を構成する製造事業所部門、研究所部門、営業部門、企画部門などを含んでいる。更に、これら企業家集団３００を支援する個人として各企業のＯＢ（退職者）も含むことができる。
【００１３】
例えば、図１に示すこの実施の形態では、Ａ会社とＢ会社及びこれら企業のＯＢが、それぞれの専用ネットワークや個人的な接続プロバイダを介してインターネットに接続し、この研究者情報支援システム１に参加している。そして、例えば、Ａ会社のネットワーク４１１には、ＡＡ製造事業所部門、ＡＢ研究所部門、ＡＣ企画部門、ＡＤ営業部門、が接続されている。また、Ｂ会社ではＢＡ研究所とＢＢ研究所がＢ会社のネットワーク４１２からインターネット４００に接続して、この研究者情報支援システム１に参加している。更に、Ａ会社のＯＢは個人的に契約した接続プロバイダ４１３を介して、このこの研究者情報支援システム１に参加している。
【００１４】
前記研究者情報支援会社１００は、インターネット４００と接続するサーバーを備え、このサーバーを介して前記研究者集団２００の各情報処理装置２０１と事業家集団３００の各情報処理装置３０１をインターネット４００を介して接続し、これら各集団２００、３００に多様な情報サービスを提供する。この研究者情報支援会社１００は、１つまたは複数のサーバーを備え、この研究者情報支援システム１の会員に多様なサービスを提供する会員サイト１０１と、誰でもアクセスすることが可能なビジタサイト１０３と、新規会員の会員登録のときに開設する会員紹介サイト１０２を開設している。
【００１５】
前記ビジタサイト１０３は、前記会員サイト１０１のサービス内容の紹介を目的として開設されるものであり、各種の検索サイトかのアクセスが可能であり、このビジタサイト１０３から前記会員サイト１０１が提供するサービスの概要を知ることができる。また、前記会員紹介サイト１０２は、会員からの紹介により臨時的に開設される新規会員を登録するためのサイトである。
【００１６】
更に、前記会員サイト１０１は、この研究者情報支援システム１に参加する正規の会員がアクセス可能なサイトであり、このサイトを通じて多様なサービスの提供を受けることができる。例えば、この実施の形態に係る前記研究者情報支援会社１００では以下のサービスを提供する。
【００１７】
（１）共同研究パートナー紹介サービス：研究者集団２００の構成員である研究者から共同研究依頼を受け付けて、この共同研究にふさわしい事業家を紹介する。例えば、研究者情報支援会社１００は、研究者の情報処理装置２０１を介して必要事項が入力された共同研究に関する申込みを受付け、この申込みに対して共同研究に対応可能な事業家を会員登録された前記事業家集団３００から抽出し、この抽出された回答を研究者に伝達することで研究者のパートナー探しを支援する。
【００１８】
（２）フリーマーケットサービス：各事業家から遊休品や新古品などの販売情報を価格決定情報とともに受け付け、この情報を研究者集団２００に提供する。また、この情報に対して、研究者集団２００からの申し込みや問い合わせを受け付け、この情報を対応する事業家にメールで連絡する。これにより、資金が不足がちな研究者を支援することができる。
【００１９】
（３）制作工房サービス：各事業家から研究者集団２００に提供可能な設備（人員含む）の情報を受け付け、この設備情報を研究者集団２００に提供する。また、研究者集団２００からのこの設備情報の申し込みや問い合わせを受け付け、この設備情報を対応する事業家にメールで連絡する。
【００２０】
（４）その他のサービス：この研究者情報支援会社１００は、事業家集団３００から研究者集団２００に対して発信するその他のサービスとして、事業家集団３００で開発した、あるいは開発中の新技術を紹介する新技術紹介サービスや、事業家集団３００で募集するリクルート情報サービスや、人材交流情報サービスや、各種のホームページを紹介するリンク情報サービスなどを支援している。また、会員の交流の場として掲示板サービスを行っている。
【００２１】
このような多様なサービスを提供する研究者情報支援システム１の大きな特徴は、厳格な会員規約を採用した会員制のシステムとした点にある。即ち、この研究者情報支援システム１では、大学の教授や学識経験者と企業との橋渡しを目的としているために、参加する会員が誰でもよいとするものではなく、信頼のある人に限定している。このため、この研究者情報支援システム１では新規の会員登録に際し、会員からの紹介を原則としている。そして、これら会員登録の手続を、通信回線を利用してこの研究者情報支援会社１００に接続する情報処理装置２０１、３０１を介して行うことで、効率的で迅速な事務手続を可能としている。
【００２２】
つまり、この研究者情報支援システム１では、会員サイト１０１と会員紹介サイト１０２とビジタサイト１０３からなる電子サービスサイト１０４を開設する研究者情報支援会社１００が、１つまたは複数のサーバーを介して会員紹介登録システムを備えた前記電子サービスサイト１０４を運営する。
【００２３】
即ち、前記電子サービスサイト１０４を運営する運営システム１００ａでは、この電子サービスサイト１０４で管理される正規会員から、メールアドレス情報を含んだ新規会員紹介データを受け付け、新規会員が情報処理装置２０１（利用者端末）を介してアクセス可能な会員紹介サイト１０２を新規に開設するとともに、前記メールアドレス情報に基づいて前記新規会員に新規会員情報を含んだメールを送信し、この会員紹介サイト１０２で前記新規会員情報に基づいて前記新規会員登録を受け付け、これにより前記電子サービスサイト１０４の正規会員とすることとができる。したがって、新規会員を紹介する正規会員は、前記運営システム１００ａに対して自分の情報処理装置２０１を介して必要な情報を入力することで新規会員を紹介することができる。また、紹介された新規の会員は、例えば、前記メールで紹介されているこの研究者支援会社１００が会員以外に開放している前記ビジタサイト１０３にアクセスして、この研究者情報支援システム１の概要を掴み、この研究者情報支援システム１の目的に賛同した場合は、前記メールで紹介された自分の会員紹介サイト１０２にアクセスして必要事項を入力すれば会員登録を行うことができる。
【００２４】
また、この研究者情報支援システム１の更なる特徴は、この研究者情報支援会社１００に対して行った手続の連絡や報告がこの研究者情報支援システム１に参加する個人または組織の責任者に対してメールで連絡される点にある。例えば、前記会員登録手続の完了の連絡は、会員登録が完了した後に前記研究者情報支援会社１００から紹介者に自動的にメールが発信される。また、会員がこの会員サイト１０１で行った申し込みや問いあわせは、手続きが完了することによって対応する問いあわせ先にメールで連絡される。これにより、対応者は、定期的に、あるいは一々この会員サイトにアクセスすることなく、メールを監視すれば必要な情報を入手することができる。
【００２５】
また、この研究者情報支援システム１の更なる特徴は、この研究者情報支援会社１００から発信されたメールに対する回答を予め設定された期限管理日程にそって管理することにある。つまり、このシステム１では、期限管理を開始すると予め設定された期間内に所定の入力手続きに対してメール受信者からのアクセスがあったか否かを検索し、なければ、メール受信者に再度メールを送信する。また、この期間の遅れにともなう期限管理日程を更新する。これにより、確実な運用がはかれる。
【００２６】
以下、図２から図２８を参照して、より具体的に本実施の形態を説明する。
【００２７】
先ず、図２において、この研究者情報支援システム１の装置構成を説明する。この研究者情報支援システム１に参加する会員の情報処理装置２０１、３０１は、通信回線を介して、商品、サービスの便覧や取引の申し込みを行う仕組みを用意している各種の電子サービスサイトに接続可能であり、更に前記通信回線を利用してメールの送受信が可能なものである。したがって、一般的なパーソナルコンピュータやモバイルコンピュータなどで前記情報処理装置２０１、３０１を構成することができる。
【００２８】
また、前記研究者情報支援会社１００は、この研究者情報支援会社１００をインタネットに接続するための通信装置１２０と、この研究者情報支援会社１００の運営システム１００ａを構成する複数の管理サーバ１３０と、各種のデータを記録する複数の大容量記憶装置１４０と、これら各装置のメンテナンスや操作を行う図示しない端末装置とから構成される。この実施の形態では、例えば、前記管理サーバ１３０を、この運営システム１００ａの統括的に管理するユーザ管理サーバ１３１と、メールの送受信を管理するメール管理サーバ１３２と、この研究者情報支援会社１００が対応する各種サービスの期限管理を行う期限管理サーバ１３３と、各種の検索を実行する検索管理サーバ１３４とから構成している。この実施の形態では、このような複数の管理サーバ１３０から構成しているが、これは１つの実施の形態に係るものであり、これに限定されるものではない。したがって、前記４つの管理サーバー（１３１から１３４）の機能を１つの管理サーバで統括的に運営したり、あるいは、更に複数の管理サーバーで分散管理してもよい。
【００２９】
また、この研究者情報支援会社１００は、前記大容量の記憶装置１４０を複数の記憶装置から構成している。例えば、このこの実施の形態では、この研究者情報支援会社１００が行う各種サービスの各種データを記録する主サイト記憶装置１５０と、前記ビジタサイト１０３に関連した各種データを記録しているビジタサイト記憶装置１７０と、新規会員の会員登録に関する各種データを記録している会員登録サイト記憶装置１８０とから構成している。
【００３０】
前記主サイト記憶装置１５０は、この主サイト記憶装置１５０に記録された各種のデータベースを統括的に管理するＤＢ管理部１５１の元に、複数のデータベースが記録されている。例えば、この実施の形態では、前記研究者集団２００に参加する会員に関するデータを記録した研究者集団会員ＤＢ１５２と、前記事業家集団３００に参加する会員企業に関するデータを記録した事業家集団会員ＤＢ１５３と、前記共同研究パートナー紹介サービスに関する情報を記録した研究管理ＤＢ１５４と、新技術紹介サービスに関する情報を記録した新技術紹介ＤＢ１５５と、製作工房紹介に関する情報を記録した製作工房ＤＢ１５６と、この研究者情報支援会社１００が企業家集団と打ち合わせの元に構築した技術分野ＤＢ１５７と、会員の会費を管理する会費管理ＤＢ１５８と、フリーマーケットサービスに関する各種情報を記録したフリーマッケットＤＢ１５９と、人材交流サービスに関する情報を記録した人材交流ＤＢ１６０と、リンクサービスに関する情報を記録したリンク集ＤＢ１６１と、掲示板サービスに関する情報を記録した掲示板ＤＢ１６２と、会員規約に関する情報を記録した会員規約ＤＢ１６３と、メールに関する情報を記録したメールＤＢ１６４などが記録されている。これらのデータベースは前記ＤＢ管理部１５１の統括のもとに前記複数の管理サーバ１１３０と接続されている。
【００３１】
また、前記ビジタサイト記憶装置１７０には、前記ビジタサイト１０３に関する情報を記録するビジタＤＢ１７１が格納されている。更に、前記会員登録サイト記憶装置１８０には、会員紹介サイト１０２に関する情報を記録する会員候補ＤＢ１８１が記録されている。
【００３２】
この実施の形態では、このような複数の大容量の記憶装置とから構成しているが、これは１つの実施の形態に係るものであり、これに限定されるものではない。したがって、前記３つの記憶装置１５０、１７０、１８０の機能を１つの記憶装置で統括的に記録したり、あるいは、更に複数の記憶装置で分散管理してもよい。
【００３３】
次に、図３、図４を参照して、本実施の形態に係る会員サイト１０１の表示画面を説明する。図３はメニュー画面図であり、図４は前記メニュー画面から分岐する各種サービス画面図である。図３に示すこの実施の形態に係るメニュー画面５００は、ウインドウズシステム上で起動するホームページ運営プログラムの作業エリア５０１内で構築される表示画面である。この作業エリア５０１内で構築される各種の表示画面は、表示画面に設定される複数の操作キーエリアや入力エリアにマウスで動作するカーソルを移動させて、このマウスでクリックしたり、入力装置を介して文字を入力することで、前記各操作キーエリアに対応して設定された動作を実行させたり、あるいは入力された文字を認識／記録することができる。そして、他の基本的な操作は、前記ホームページ運営プログラム上で設定される操作キーや入力エリアに対してマウスを介して選択したり入力装置を介して入力することで各種の操作を行うことができる。例えば、この実施の形態では、上段のタイトルバー５０２と、その下部のメニューバー５０３と、その下部のツールバー５０４と、その下部のアドレスバー５０５に設けられる各種操作キーや入力エリアを介して操作及び入力することができる。
【００３４】
なお、以後説明を簡略にするために、マウスでカーソルを移動させ該当する操作キーに対してクリックして動作指示することを押下として表現する。
【００３５】
また、本実施の形態の表示画面は、上下に２分割され、上段に帯状のタイトルエリア５０６を配置し、下段に各種のサービスエリア５０７を設けている。前記タイトルエリア５０６は、表示内容がこのシステム１の表示画面であることを示す主タイトルエリア５０８と、前記メニュー画面５００から分岐する図４に示すサービス画面５２０のサービス内容を示すサブタイトルエリア５０９とから構成される。そして、このタイトルエリア５０６は、本システム１が採用する表示画面では、前記作業エリア５０１の上段に所定の大きさで固定表示される。これにより、利用者が現在表示されている表示画面の所在とサービス内容をいつでも知ることができる。
【００３６】
一方、下段のサービスエリア５０７は、サービスの内容により任意の大きさに設定されるものであり、この情報量に付随して１画面を超えるものについてはスクロールバー５１０が設けられている。
【００３７】
図３において、このシステム１のメニュー画面５００は、この会員サート１０１の最初に表示されるものであり、このメニュー画面５００に設けられるサービスメニューの選択キー５１１（５１１ａ、５１１ｂ、５１１ｎ）を押下することにより、ツリー状に構成された各種のサービスの表示画面に移行させることができる。
【００３８】
また、前記サブタイトル５０９に「はじめに」が設定され、このサブタイトル５０９を押下することで、このシステム１の開設の目的／趣旨が表示される図示しない表示画面に以降させることができる。
【００３９】
また、前記サービスエリア５０７には、最上部に、この表示画面５００の概要記載エリア５１２が設定される。この概要記載エリア５１２は、前記サブタイトル５０９を更に説明するものであり、このメニュー画面５００においては、このシステム１の目的が記載されている。同様な概要記載エリア５１２は、図４に示すサービス画面５２０にも設けているので、この概要記載エリア５１２と前記サブタイトルエリア５０９の記載内容で、現在表示されているおおよその内容を知ることができるので、階層が深くなった表示画面において操作に迷うことを軽減できる。
【００４０】
前記概要記載エリア５１２の下部には各種のサービスに移行するためのサービス選択エリア５１３が順次設けられている。このサービス選択エリア５１３は、左端から中央にかけて帯状に設けた前記選択キー５１１と、この選択キーの右側に設けられた概要エリアと、前記選択キー５１１と前記概要エリアの下部に必要により設けられる詳細概要エリアとから構成される。前記選択キー５１１は、その帯状内にサービスのタイトルが記載されており、この選択キー５１１を押下することで、該当するサービスの表示画面に移行させることができる。したがって、利用者は、その熟練度により、この選択キー５１１に記載されたサービスタイトルをみて、あるいは、その右側の概要エリアを更にみて、さらにサービス内容を知りたければ詳細概要エリアの内容をみて対応する所望のサービスの選択キー５１１を押下することができる。また、この実施の形態では、各サービスが前記帯状の選択キーにより区切られているので、記載されたサービスの識別が用意である。
【００４１】
また、この実施の形態では、サービス内容がタイトルで認識できるもの、あるいは使用頻度が低いものにつては、下段に区切られた帯部５１３の中に、そのタイトルが表示された選択キーを並設して配置している。例えば、この実施の形態では、新規の会員を紹介する会員紹介選択キー５１４と、会員の履歴情報を表示させる会員履歴選択キー５１５と、会員規約を表示させる会員規約選択キー５１６と、掲示板を選択する掲示板選択キー５１７とを備えている。
【００４２】
そして、このメニュー画面５００の最下部には広告表示エリア５１８が設けられている。この広告表示エリア５１８は、このシステム１に参加する企業家集団の企業が有料で掲載する広告スペースであり、この広告表示エリア５１８を押下することで、更に詳細な図示しない広告画面を表示することができる。これらの広告料は、会費とともに徴収される。
【００４３】
図４において、この図４は、サービス画面５２０の１つである共同研究サービスの表示画面であるが、他のサービス画面でも同様なレイアウトを備えることで、操作時の迷いや違和感を軽減して操作性を向上することができる。この表示画面５２０の作業スペース５０１は、最上部に前記タイトルエリア５０６が設けられ、最下部に問いあわせ先として、この研究者情報支援会社１００の連絡先表示エリア５２１が設けられている。これにより、困ったときは、簡単に問いあわせが可能である。また、前記タイトルエリア５０６と連絡先表示エリア５２１の間は、更に上下２分割され、上段に前記概要表示エリア５２２、下段にメニューエリア５２３が設けされている。前記メニューエリア５２３は、左側に目次エリア５２４、右側にサービスメニュー５２４が上下に順次記載されている。前記目次エリア５２４は、このシステム１の、サービスのメニュー（目次）が表記されている。このメニューは、通常はタイトルが表記され、このタイトルを選択することで、対応するサービスの表示画面に移行するとともに、このタイトルが強調表示され、更にこのタイトルの下部に下層の項目が表示される。したがって、このシステム１によれば、この目次エリア５２４の対応する項目を選択することにより、ダイレクトで所望の表示画面に移行できるので、いちいち戻るボタンを介して戻さなくてもすむので操作時間の短縮を図ることができる。また、前記目次エリア５２４の片側に設けた前記メニューエリア５２６の各メニューは帯状のタイトル付きの選択キー５２６と、その詳細説明欄５２７とから構成される。したがって、前記タイトルをみて、あるいは更に詳細説明をみて対応する選択キー５２６を押下することができるので、視認性や操作性を向上することができる。
【００４４】
次に、図５は、このシステム１が多様なサービスを提供するために用意している各種表示画面の画面変移を示したものである。縦軸が前記メニュー画面５００から分岐する各種のサービス画面を示し、横軸が各種サービス画面から更に分岐する階層の表示画面を示している。例えば、この実施の形態では、第１画面である前記メニュー画面５００から最高で第６画面までの階層を備えている。例えば、前記メニュー画面５００から分岐する第２画面であるフリーマーケットサービスの表示画面は、第３画面で研究設備提供とアウトレットとレンタル機器に分岐し、更に研究設備提供は第４画面で申し込み方法説明があり、更に第５画面で提供品リストの画面、第６画面で問いあわせと申し込み画面に分岐している。以下これらのサービス内容を図７から図２８に示したデータ構成図と動作フロー図と対応する表示画面とで更に説明する。
【００４５】
先ず、このシステム１では、多くのデータベースを備えているが、図６、図７を参照して代表的なデータベースのデータ構成を説明する。図６は研究者集団会員ＤＢのデータ構成図を示し、図７は企業家集団会員ＤＢのデータ構成図を示している。
【００４６】
図６において、このシステム１では、会員制を採用しているので、研究者集団会員ＤＢ１５２や企業家集団会員ＤＢ１５３が重要なデータベースとなる。研究者集団会員ＤＢ１５２は、会員に対応して付された会員番号６００と、名前６０１と、会員の所属を示す大学／学科６０２と、この会員のメールアドレス６０３と、この会員を紹介した紹介者会員番号６０４と、会員が任意に設定できるパスワード６０５と、この会員の主な研究テーマ６０６、企業化家会員との関係６０７と、この会員がこのシステム１に対してアクセスした過去の履歴を記録する履歴情報６０８と、その他の関連情報を記録する備考６０９とを備えている。
【００４７】
また、図７において、企業家集団ＤＢ１５３は、１つの企業で複数の事業所がこのシステム１に参加しているので、このシステム１では、例えば、枝番号で会員番号６２０を登録している。更に、各枝番号で登録された事業所は、その事業所の対応能力により会員番号に会員種別が付されている。この会員種別は、例えば大きな研究所では、多様な研究を行っているので、研究者集団２００からの問い合わせや申込みの情報を全て把握したいとの要望があるので、このような会員と、他の会員を区別するためのものである。そして、この会員番号６２０に対応して、会社名と事業所６２１と、責任者６２２と、この責任者のメールアドレス６１３を登録している。このシステム１では、各種の連絡がメールで発信されるので、会員企業が複数の事業所から構成されていても、各枝番号の責任者が特定されているので、研究者集団２００から問い合わせや申込みに対する責任が明確になっている。
【００４８】
また、企業家集団３００もまた、会員からの紹介を原則としているので、紹介した会社を示す紹介会社会員番号６１４が含まれている。更に、事業所単位で任意に設定することが可能なパスワード６１５と、事業所の事業内容とその技術分類６１６と、その事業所が提供可能なサービス提供種目６１７と、この会員がこのシステム１に対してアクセスした過去の履歴を記録する履歴情報６１８と、その他の関連情報を記録する。
【００４９】
次に、図８から図１６を参照して、このシステム１における会員紹介フローを説明する。図８は会員が前記会員サイトにアクセスする動作フロー図、図９が会員の紹介から登録までを示すフロー図である。また、図１０から図１６が会員紹介登録の表示画面図である。
【００５０】
先ず、図８において、会員である研究者が前記情報処理装置２０１を操作して、この研究者情報支援会社１００に対してアクセス要求を出すと（ステップ７００）、前記研究者情報支援会社１００は、このアクセス要求を受け付け（ステップ７０２）、図１０に示す会員認証画面８００を前記情報処理装置２０１に表示させる（ステップ７０４）。会員認証画面８００は、会員番号６００を入力するためのＩＤ  ＮＯ．入力エリア８０１と前記パスワード６０５を入力するためのパスワード入力エリア８０２と送信キー８０３とを備えている。会員がこの会員認証画面８００のガイダンスに沿って前記会員番号６００とパスワード６０５を入力して送信してくると（ステップ７０６）、前記ユーザー管理サーバ１３１が主体的に動作する運営システム１００ａは、この送信されたデータを前記研究者会員ＤＢ１５２に紹介して正規の会員であるか否かを確認する（ステップ７０８）。もし正しくなければ警告のガイダンスを表示させた表示画面を表示させて再度入力を促がし（ステップ７１０）、正規の会員であれば図１１に示す前記メニュー画面５００を表示させる（ステップ７１２）。会員は前記情報処理装置２０１を介して前記メニュー画面５００の前記サービスの選択キー５１１や各種の選択キーを押下することで各種のサービスを選択することができる。
【００５１】
次に、図９において、会員が前記情報処理装置２０１を介して図１０の前記会員登録選択キー５１４を押下して会員紹介を選択すると（ステップ７２０）、前記運営システム１００ａは、図１２に示す会員紹介画面８１０を表示させる（ステップ７２２）。この会員紹介画面８１０は、紹介する新規会員の氏名入力エリア８１１と、大学／学科などの所属入力エリア８１２と、メールアドレスエリア８１３及び、送信キー８１４が設けられている。会員は、この会員紹介画面に８１０を介して必要事項を入力して前記送信キー８１４を押下すると（ステップ２２４）、前記運営システム１００ａは、これを受け付けて、例えば、連続番号からなる推薦ＩＤ８２５（図１３参照）を取得して新規会員に関する情報を前記会員登録サイト記憶装置１８０の会員候補ＤＢ１７２に格納する（ステップ７２６）。そして、前記運営システム１００ａは、前記会員登録サイト記憶装置１８０に、この推薦ＩＤ８２５に対応した会員紹介サイト１０２を開設する（ステップ７２８）とともに、期限管理サーバ１３３に期限管理を登録する（ステップ７３０）。期限管理サーバ１３３は予め設定された期限管理日程を参照して期限管理日程を発行するとともに、この会員紹介サイト１０２の期限管理を開始する。この期限管理サーバ１３３は、期限管理を開始すると予め設定された期間内に所定の入力手続きに対してメール受信者からのアクセスがあったか否かを検索し、なければ、メール受信者に再度メールを送信する。また、この期間の遅れにともなう期限管理日程を更新する。
【００５２】
前記運営システム１００ａは、前記期限管理データを含んだ会員紹介に関するデータを前記メール管理サーバ１３２に新規会員に対するメール作成・送信依頼を行う。前記メール管理サーバ１３２は、メールＤＢ１６４を参照して図１３に示す紹介メール８２０を作成・送信する（ステップ７３２）。前記紹介メール８２０は、手紙の挨拶など定型分からなる定型ガイダンス８２１と、紹介者の大学や学科や氏名８２２と、ビジタサイトのＵＲＬ（サーバーアドレス）８２３と、会員登録のＵＲＬ８２４と、推薦ＩＤ８２５と、会員登録の申込み期限８２６のデータを備えている。
【００５３】
このように、このシステム１では、この電子サービスサイト１０４で管理される正規会員から、メールアドレス８１３の情報を含んだ新規会員紹介データ（図１２参照）を受け付け、新規会員が情報処理装置２０１（利用者端末）を介してアクセス可能な会員紹介サイト１０２を新規に開設するとともに、前記メールアドレス８１３の情報に基づいて前記新規会員に新規会員情報（図１３参照）を含んだメールを送信する。これにより、例えば、このシステム１に紹介したい研究者から電話連絡やメールなどを通じて必要な情報を入手して、このシステム１の１つの紹介画面８１０に必要な事項を入手することで、簡単に会員紹介が可能である。
【００５４】
また、紹介された新規の会員は、前記メール（紹介メール８２０）で紹介されているこの研究者情報支援会社１００が会員以外に開放している前記ビジタサイト１０３のＵＲＬ８２３が分かるので、このビジタサイト１０３にアクセスして、この研究者情報支援システム１の概要を知ることができる（ステップ７３４）。そして、これら情報から、このシステム１の目的に賛同した場合は、前記メールで紹介された自分の会員紹介サイト１０２のＵＲＬ８２４を介して会員紹介サイト１０２にアクセスすることができる（ステップ７３６）。
【００５５】
前記運営システム１００ａは、前記会員紹介サイト１０２にアクセス要求があると、図１４に示す新規会員を認証する会員登録画面８３０を表示させる（ステップ７３８）。会員登録画面８３０は、少なくとも推薦ＩＤ８２５または新規会員の指名入力エリア８２２とメールアドレス入力エリア８２５を備え、この会員紹介サイト１０２にアクセスする利用者が紹介を受けている利用者であることを特定する入力エリアを備えるものである。この実施の形態では、推薦ＩＤ８２５を入力する入力エリア８２１と、新規会員の指名入力エリア８２２と、新規会員の大学／学科の所属入力エリア８２３と、新規会員のメールアドレス入力エリア８２４と紹介者のメールアドレス入力エリア８２５を備えている。新規会員は、この会員登録画面８３０に必要事項を入力して送信キー８２６を押下する（ステップ７４０）。前記運営システム１００ａは、前記会員登録データを受け付けると、この内容が前記会員候補ＤＢ１７２に格納された内容と一致するか否かを判断し（ステップ７４１）、一致しなければ、再度会員登録画面を表示させ、一致すれば、図１５に示すと新規会員の詳細情報を登録する会員登録画面８４０を表示させる（ステップ７４２）。
【００５６】
この会員登録画面８４０は、新規会員の氏名の入力エリア８４１と、大学／学科の所属入力エリア８４２と、新規会員のメールアドレス入力エリア８４３と、新規会員の研究テーマ入力エリア８４４と、事業家会員との関係入力欄８４６と、紹介者の情報入力エリア８４７と、送信キー８４７とを備えている。これら、各入力エリアは図１４の前記会員登録画面８３０で入力された内容については、確認表示され、変更点や新規入力エリアのみ入力可能としている。
【００５７】
新規会員は、この会員登録画面８４０に必要な項目を入力して送信キー８４７を押下すると、（ステップ７４４）前記運営システム１００ａは、会員番号（会員ＩＤ番号）取得し（ステップ７４５）、図１６に示すパスワード設定画面８５０を表示させてパスワードを要求する（ステップ７４６）。このパスワード設定画面８５０は、例えば、図１４の前記会員登録画面８３０にウインドウ８５１を開いて、このウインドウ８５１に操作ガイダンスとともにパスワード入力エリア８５２と送信キー８５３を備えるようにする。新規会員は、このパスワード入力エリア８５２に任意のパスワードを設定し、送信キー８５３を押下することで会員登録の手続きを終了する。
【００５８】
前記運営システム１００ａは、前記パスワードの設定を受け付けると前記研究者集団会員ＤＢ１５２に必要なデータを格納して会員登録をするとともに（ステップ７５０）、前記メール管理サーバ１３２に新規会員と会員紹介者に対する会員登録通知のメール作成と送信依頼を行う（ステップ７５２）。
【００５９】
このように、このシステム１では、前記会員紹介サイト１０２で前記新規会員情報に基づいて前記新規会員登録を受け付け、これにより前記電子サービスサイト１０４の正規会員とすることとができる。したがって、新規会員を紹介する正規会員は、前記運営システム１００ａに対して自分の情報処理装置２０１を介して必要な情報を入力することで新規会員を紹介することができる。また、新規会員は、メールを参照して、必要な会員登録を自分の情報処理装置２０１を介して行うことができるので、手続きが簡単で便利である。
【００６０】
なお、上記会員紹介フローは一実施の形態であり、これに限定されるものではない。例えば、新規会員に対する複数人の紹介、または認証が必要な場合は、図１２に示す紹介画面８１０に推薦の理由などの入力項目と、他の推薦者または認証者のメールアドレス情報などを付加し、前記ステップ７３０の後に、会員紹介データを前記複数人の紹介者または認証者にメールで送信して、この承認の基に前記ステップ７３２を実行するようにしてもよい。
【００６１】
次ぎに、図１７から図１９を参照して共同研究サービスについて説明する。図１７は、共同研究の動作フロー図、図１８、図１９はこの共同研究で使用される主な表示画面である。
【００６２】
先ず、図１７において、研究者の会員が事業家集団３００に対して共同研究を依頼しようとした場合、図３のメニュー画面５００の共同研究コーナの選択キー５１１ａを押下することで、この共同研究サービスのフローに移行することができる（ステップ９００）。前記運営システム１００ａは、前記選択キー５１１ａが押下されると、共同研究に関する利用の仕方やシステム概要、あるいは申込み方法が記載された図示しない画面を会員の情報処理装置２０１に表示させる（ステップ９０２）。会員は、これら概要を理解して、前記図示しない表示画面に設けられた目次エリア５２４の申込書を選択すると（ステップ９０４）、前記運営システム１００ａは、図１８の共同研究の申込み画面９５０を表示させる（ステップ９０６）。この共同研究の申込み画面９５０は、共同研究の申込みに関する注意事項の記載エリア９５１と、ご依頼者の情報の入力エリア９５２と研究テーマ入力エリア９５３と、図示しない送信キーを備えている。前記依頼者の情報の入力エリア９５２は、氏名入力エリア９５４と大学名などの所属入力エリア９５５と、メールアドレス入力エリア９５６とを含んでいる。この実施の形態では、前記ご依頼者の情報の入力エリア９５２をこのシステム１にアクセスしている会員の情報が自動的に表示されるようにしているが、その都度入力するようにしてもよい。また、研究テーマ入力エリア９５３は、申込者がテキストデータで入力するものであり、図示しない領域に項目毎の複数の入力エリアを備えている。
【００６３】
申込者が前記申込み画面９５０に必要事項を入力して図示しない送信キーを押下すると（ステップ９０８）、前記運営システム１００ａは、前記申込み画面９５０で入力された前記テキスト情報からキーワードを抽出して前記技術分類ＤＢ１５７に格納された技術分類マップＤＢを検索して、該当する技術分類を抽出する（ステップ９１０）。そして、前記技術分類を基に、前記企業家集団会員ＤＢ１５３の事業内容と技術分類（図７参照）を検索して、この申込みに対応可能な受け元候補リストを生成し、このリストを備えた図１９に示す表示画面９６０を表示させる（ステップ９１２）。前記リストを備えた表示画面９６０は、共同研究の受け元リスト表示エリア９６１と送信キー９６２を備えている。前記受け元リスト表示エリア９６１には、例えば、縦軸に複数の会社名（会員）、横軸に各種の項目が記載されており、この項目の最後に、候補の選択を行う申込エリアが設けられている。
【００６４】
申込者は、前記受け元候補リストから希望する受け元を選択して送信することができる（ステップ９１４）。この実施の形態では、この受け元候補リストに、図７で説明した会員番号に会員種別が付加された対応能力のある事業所会員を常にリストアップするようにしている。申込者は、希望がなければそのまま回答することができる。
【００６５】
前記運営システム１００ａは、前記回答が成されると、この申込み情報を受け付けて前記研究管理ＤＢ１５４に登録するとともに（ステップ９１６）、期限管理サーバ１３３に期限管理を登録する（ステップ９１８）。期限管理サーバ１３３は予め設定された期限管理日程を参照して期限管理日程を発行するとともに、この共同研究テーマの期限管理を開始する。前記運営システム１００ａは、前記期限管理データを含んだ共同研究申込みに関するデータを前記受け元候補リストにリストアップされた会員に対して共同研究の申込み依頼のメールを作成して送信するように前記メール管理サーバ１３２に依頼し、前記メール管理サーバ１３２はこのメールを作成して送信する。
【００６６】
前記共同研究の申込みメールを受けた企業家会員は、共同研究可否の検討を行い（ステップ９２２）、前記情報処理装置３０１を操作して、前記会員サイト１０１にアクセス操作して（ステップ９２４）、前記運営システム１００ａが前記アクセス要求に対して表示させる会員認証画面（ステップ９２６）に対して図示しない共同研究回答欄の表示画面を要求し（ステップ９２８）、前記運営システム１００ａが前記要求に対して表示させる図示しない共同研究回答欄の表示画面を表示させて（ステップ９３０）、図示しない共同研究回答欄の表示画面を介して回答入力を行うことができる（ステップ９３２）。
【００６７】
前記運営システム１００ａは、前記受け元候補リストにリストアップされた複数の会員からの回答を受けて調整可能か否かを判断し（ステップ９３４）、例えば、受け元が複数の場合などは本部端末にその回答結果を出力させる（ステップ９３６）。一方、調整が不要で有れば、前記共同研究ＤＢ１５４にこの内容を更新し、前記メール管理サーバ１３２に対して、前記申込者については申込みの回答をメールで回答すると共に、前記受け元については申込者に発送したメールの写しを送信させ、前記メール管理サーバ１３２はこれを実行する（ステップ９４０）。
【００６８】
次ぎに、図２０から図２５を参照して、他のサービスに対する申込みまたは問い合わせに関する動作フローを説明する。図２０がその他のサービスにおける申込みや問い合わせの動作フロー図、図２１と図２２が製作工房の手続の説明表示画面と申込み／問い合わせ表示画面を示し、図２３から図２５がフリーマケットの申込みに関する表示画面である。
【００６９】
先ず、図２０から図２２を参照して製作工房サービスを一例にしてその申込み／問い合わせについて説明する。
【００７０】
研究者の会員が、前記メニュー画面５００の申込み可能なサービスを選択すると（ステップ１０００）、前記運営システム１００ａは、対応する申込みのサービスコーナーの表示画面を表示させ（ステップ１００２）、この表示画面に対して申込書を選択すると（ステップ１００４）、前記運営システム１００ａは、対応する申込書を表示させる（ステップ１００６）。例えば、会員が製作工房サービスを選択すると、前記運営システム１００ａは、図２１に示す製作工房の申込みに関する説明表示画面１１０を表示する。この表示画面１１００には、例えば、製作工房の申込みに関する案内説明１１０１や支払方法に関する案内１１０２が記載されている。会員が、この表示画面１１０の目次エリア５２４を介して申込みを選択することで、図２２に示す申込書の表示画面１１１０を表示させる。前記表示画面１１１０は、問い合わせフオーマットなどの注意事項欄１１１１と、ご依頼者の情報入力エリア１１１２と、申込みまたは問い合わせの内容の入力エリア１１１３と送信キー１１１４と、前記入力エリアの内容をクリアする内容クリアキー１１１５を備えている。また、前記ご依頼者の情報入力エリア１１１２は、依頼者の氏名入力エリア１１１６と、大学などの所属入力エリア１１１７と、メールアドレス入力エリア１１１８とを備えている。この実施の形態では、図１８と同様に、前記ご依頼者の情報入力エリア１１１２に、この会員サイト１０１を開いた会員の情報が自動的に表記されるようになっている。
【００７１】
図２０に戻り、会員は、前記図２２の表示画面１１１０に必要事項を入力して送信キー１１１４を押下すると、前記運営システム１００ａは、このデータを受け付け、対応するデータに登録する（ステップ１０１０）。そして、前記期限管理サーバ１３３に登録して期限管理を行い、前記メール管理サーバ１３２を介して事業家会員に、この問い合わせまたは申込みの内容をメールで送信する（ステップ１０１４）。
【００７２】
事業家会員は、前記メールの内容を検討して（ステップ１０１６）、前記情報処理装置３０１を介して会員サイト１０１にアクセス操作して（ステップ１０１８）、前記研究者情報支援会社１００が前記アクセス要求に対して表示させる会員認証画面（ステップ１０２０）に対して図示しない対応申込回答欄の表示画面を要求し（ステップ１０２２）、前記研究者情報支援会社１００が前記要求に対して表示させる図示しない対応申込回答欄の表示画面を表示させて（ステップ１０２４）、図示しない対応申込回答欄の表示画面を介して回答入力を行うことができる（ステップ１０２６）。
【００７３】
前記運営システム１００ａは、申込みの回答に対して調整が必要か否かを判断し（ステップ１０２８）、例えば、トラブルなどが発生して調整が必要で有れば本部端末にその回答結果を出力させる（ステップ１０３０）。一方、調整が不要で有れば、対応するデータベースにその回答結果を更新して（ステップ１０３２）、前記メール管理サーバ１３２に対して、前記申込者については申込みの回答をメールで回答すると共に、前記対応元については申込者に発送したメールの写しを送信させ、前記メール管理サーバ１３２はこれを実行する（ステップ９４０）。
【００７４】
この実施の形態では、前記図２０で示した基本的なフローの元に、各種の申込みまたは問い合わせに対応することができる。例えば、図２３から図２５は本システム１が運営するフリーマーケットの申込みまたは問い合わせの表示画面である。
【００７５】
先ず、このシステム１では、メニュー画面５００を介してフリーマッケトサービスを選択すると、図２３に示すようなフリーマッケットのメニューが示された表示画面１１２０が表示される。この表示画面１１２０は、研究設備のリサイクルを選択することが可能な研究設備選択キー１１２１と、新製品が出たために性能が良いものであるが価格が低いアウトレット品を選択することが可能なアウトレット品選択キー１１２２と、この企業家集団の会員が営業するレンタル機器選択キー１１２３とを備えている。これら各選択キーは、その下部に説明欄を備えている。
【００７６】
研究者の会員は、この表示画面１１２０において、例えば、研究設備選択キー１１２１を選択すると、図２４に示すような、研究者設備提供リストの表示画面１１３０を表示する。この表示画面１１３０は、企業家会員から提供される研究設備のリスト表示エリア１１３１と、メニュー画面５００に戻るトップページ選択キー１１３２と、一つ前の表示画面である図２３に示す表示画面１１２０に戻すフリーマッケト選択キー１１３３を備えている。この実施の形態では、このリスト表示エリア１３１の見やすさを向上させるために、この表示画面１１３０では前記目次エリア５２４を表示させず、前記２つの選択キー１１３２、１１３３を表示させるようにしている。また、前記リスト表示エリア１１３１は、縦軸方向に提供品が配置され、横軸に製品名や販売価格などが表示されている。
【００７７】
このシステム１で提供される研究設備の提供品は、それぞれの企業家会員が管理使用しているものであるが、期間的に滅却扱いとなったものであり、企業家会員がそれぞれ運営する資産管理システムから自動的に抽出され、そのデータがこのシステム１のフリーマッケットＤＢ１５９に定期的にまたは暫時登録更新されるように、ネットワークを介してそれぞれのシステムが接続されている。
【００７８】
さて、前記リスト表示エリア１１３１には、各製品に対応して申込み／問い合わせ選択キー１１３４が設けられている。申込者は、このリストから目的の製品を選択して、その申込みまたは問い合わせの選択キー１１３４を選択することができる。この選択により、図２５の提供品の申込み／問い合わせの表示画面１１４０を表示することができる。この表示画面１１４０は、問い合わせフオーマットなどの注意事項欄１１４１と、申し込み／問い合わせ入力エリア１１４１と、前記ご依頼者の情報入力エリア１１１２と、住所、氏名などが入力可能なお届け先入力エリア１１４３と、送信キー１１４４と、前記入力エリアの内容をクリアする内容クリアキー１１４５を備えている。また、前記入力エリア１１４１は、商品番号入力エリア１１４６と、問い合わせの場合は質問の入力エリアで、申込みの場合は備考欄となる入力エリア１１４７を備えている。この入力画面で必要事項を入力して前記送信キー１１４４を押下することで、図２０のステップ１０１０に進めることができる。
【００７９】
このように、このシステム１においては、各サービスに対して依頼者が申込みまたは問い合わせをこの会員サイト１０１に入力することにより、このデータがメールで対応可能な会員に送信され、このメールに基づいた回答内容を会員サイト１０１に入力することで、関係者にこの回答結果をメールで回答することができる。したがって、このシステム１では研究者情報支援会社１００からの連絡はメールで行われ、その回答を研究者情報支援会社１００のホームページに対して行うことができる。
【００８０】
次ぎに、図２６及び図２７を介して本システム１が運営する掲示板サービスを説明する。このシステム１では、会員が前記メニュー画面５００の掲示板選択キー５１７を押下することで、会員相互のコミュニケーションが図れる掲示板サービスを受けることができる。前記選択キー５１７が押下されると、運営システム１００ａは、各情報処理端末２０１に図２６の掲示板メニュ画面１１５０を表示する。この表示画面１１５０は、掲示板のメニュー選択キー群１１５１と、検索ワード入力エリア１１５２と、閲覧番号入力エリア１１５３と、表示物の表示量設定エリア１１５３と、メニュー画面５００に戻るためのトップページキー１１５４を備えている。前記メニュー選択キー群１１５１は、掲示板に掲載する記事を作成する新規作成選択キーと、掲示板に作成されたタイトルの最新の内容を一覧させる最新一覧選択キーと、番号順一覧選択キーと、終了キーが設けられている。更に、検索ワード入力エリア１１５２は、検索ワード入力エリアと検索実行キーとＡＮＤキーとＯＲキーとを備えている。更に、閲覧番号入力エリア１１５３は、閲覧番号入力エリアと閲覧実行キーを備えている。更に、表示量設定エリア１１５３は、表示量として行番号の入力エリアと設定キーを備えている。この実施の形態では、この掲示板のメニューの表示画面１１５０を介して多様な掲示板のサービスを受けることができる。
【００８１】
例えば、図２７は、前記メニュー選択キー群１１５１の新規作成を選択した表示画面１１６０を示している。この表示画面１１６０は、投稿者の氏名入力エリア１１６１と、投稿者のメールアドレス入力エリア１１６２と、この新規作成記事を削除するためのパスワード入力エリア１１６３と、この記事の題名入力エリア１１６４と、記事内容入力エリア１１６５と、入力した記事のプレビュ選択キー１１６６と、この記事を投稿するための投稿キー１１６７と、リセットキー１１６８と、トップページキー１１６９を備えている。
【００８２】
この実施の形態では、前記入力エリアに必要事項を入力して投稿キー１１６７を押下することで、この記事内容を掲示板ＤＢ１１６２に格納して、前記図２６で説明した表示画面１１５０の操作を通じて他の会員の閲覧サービスを受けることができる。
【００８３】
次ぎに、このシステム１は会員紹介登録システムを採用しているので、会員紹介が連鎖的につながって会員の和が広がる会員システムである。したがって、最初の会員が自分が紹介した会員がどのような会員のネットワークで広がっているか気になるところである。また、企業家集団の会員からすれば、特定の会員がどのような人のつながりで会員となり、また以後の会員のネットワークを構築したかは、その特定の会員の情報として有効である。そこで、このシステム１では、これらの要望に答えるために、会員履歴情報として、アクセスした会員から連鎖で広がる会員のネットワークを表示画面上に表示させることができる。このサービスを受けるためには、前記メニュー画面５００の会員履歴選択キー５１５を押下することで、図２８の会員履歴の表示画面１１７０を表示させることができる。前記運営システム１００ａは、研究者の会員が前記選択キー５１５を押下すると研究者集団会員ＤＢ１５２を検索して紹介者会員番号６０４を検索し、この紹介者会員番号６０４から更に紹介者会員番号６０４を検索して、この会員の連鎖情報を会員紹介ツリー表示エリア１１７１に表示させることができる。例えば、図２８では会員ＡＡＡが、会員ＢＢＢと会員ＤＤＤを紹介し、会員ＢＢＢは会員ＣＣＣを紹介していることが一目で分かる。これらのツリー情報は、そのアクセスしている会員を紹介した会員から上層の会員についてはプライバシーを考慮して表示不可能にしている。もちろん研究者情報支援会社１００の設定により、これら上層の会員の情報についても表示させることができる。なお、この会員の連鎖情報を随時メンテナンスして構築されるデータベースを用意してもよい。
【００８４】
【発明の効果】
この発明によれば、通信回線を利用して接続する利用者端末を介して新規会員の紹介と正規の会員登録が関連性をもって簡単に行うことができる。
【図面の簡単な説明】
【図１】この発明に係る電子サービスサイトのネットワーク図である。
【図２】この発明に係る電子サービスサイトのネットワークの装置構成図である。
【図３】この発明に係る電子サービスサイトのメニュー画面図である。
【図４】この発明に係る電子サービスサイトのサービス画面図である。
【図５】この発明に係る電子サービスサイトが提供するサービスのために用意している各種表示画面の画面変移図である。
【図６】この発明に係る研究者情報支援会社が備えている研究者集団会員ＤＢのデータ構成図である。
【図７】この発明に係る研究者情報支援会社が備えている企業家集団会員ＤＢのデータ構成図である。
【図８】この発明に係る電子サービスサイトにアクセスするための認証フロー図である。
【図９】この発明に係る電子サービスサイトの会員紹介・登録フロー図である。
【図１０】この発明に係る電子サービスサイトの会員紹介の表示画面である。
【図１１】この発明に係る電子サービスサイトの会員紹介の表示画面である。
【図１２】この発明に係る電子サービスサイトの会員紹介の表示画面である。
【図１３】この発明に係る電子サービスサイトから送信される会員案内メールである。
【図１４】この発明に係る電子サービスサイトの会員登録の表示画面である。
【図１５】この発明に係る電子サービスサイトの会員登録の表示画面である。
【図１６】この発明に係る電子サービスサイトの会員登録の表示画面である。
【図１７】この発明に係る電子サービスサイトの共同研究サービスの動作フロー図である。
【図１８】この発明に係る電子サービスサイトの共同研究サービスの表示画面である。
【図１９】この発明に係る電子サービスサイトの共同研究サービスの表示画面である。
【図２０】この発明に係る電子サービスサイトの申込み・問い合わせサービスの動作フロー図である。
【図２１】この発明に係る電子サービスサイトの製作工房サービスの表示画面である。
【図２２】この発明に係る電子サービスサイトの製作工房サービスの表示画面である。
【図２３】この発明に係る電子サービスサイトのフリーマケットサービスの表示画面である。
【図２４】この発明に係る電子サービスサイトのフリーマケットサービスの表示画面である。
【図２５】この発明に係る電子サービスサイトのフリーマケットサービスの表示画面である。
【図２６】この発明に係る電子サービスサイトの掲示板サービスの表示画面である。
【図２７】この発明に係る電子サービスサイトの掲示板サービスの表示画面である。
【図２８】この発明に係る電子サービスサイトの履歴情報サービスの表示画面である。
【符号の説明】
１…研究者情報支援システム、１００…研究者情報支援会社、１００ａ…運営システム、１０１…会員サイト、１０２…会員紹介サイト１０２、２００…研究者集団、３００…事業家集団、４００…インターネット。
【図１】
0003932764.tif 000002
【図２】
0003932764.tif 000003
【図３】
0003932764.tif 000004
【図４】
0003932764.tif 000005
【図５】
0003932764.tif 000006
【図６】
0003932764.tif 000007
【図７】
0003932764.tif 000008
【図８】
0003932764.tif 000009
【図９】
0003932764.tif 000010
【図１０】
0003932764.tif 000011
【図１１】
0003932764.tif 000012
【図１２】
0003932764.tif 000013
【図１３】
0003932764.tif 000014
【図１４】
0003932764.tif 000015
【図１５】
0003932764.tif 000016
【図１６】
0003932764.tif 000017
【図１７】
0003932764.tif 000018
【図１８】
0003932764.tif 000019
【図１９】
0003932764.tif 000020
【図２０】
0003932764.tif 000021
【図２１】
0003932764.tif 000022
【図２２】
0003932764.tif 000023
【図２３】
0003932764.tif 000024
【図２４】
0003932764.tif 000025
【図２５】
0003932764.tif 000026
【図２６】
0003932764.tif 000027
【図２７】
0003932764.tif 000028
【図２８】
0003932764.tif 000029